(57)【要約】      （修正有）【課題】外箱の内箱を摺動して階段状にする際、被収納物が内箱内ですれることがない、簡単な構造のケースを提供する。【解決手段】１個の開口部を設けた外箱と、この外箱の内部に引き出し可能に積み重ねて収納され、外箱の開口部と対応する部分に開口部を設けた複数個の内箱とからなる。最下段の内箱は、外箱の蓋体に形成した上下の折り曲げ片に最下段の内箱に臨む背面片の前端を背面側に折り曲げて挟み込むように形成する。最下段の内箱を除く全ての内箱の開口部へ臨む背面片の前端を背面側に折曲して背面に隣接する内箱の前面片を挟み込むようにして各係止片を形成し、この係止片で挟み込まれる前記内箱の頂端縁と係止片の内頂縁間に収納状態で幅間隔を設ける。【選択図】図１
0003156138.tif 000002
【実用新案登録請求の範囲】
【請求項１】
１個の開口部を設けた外箱と、この外箱の内部に引き出し可能に積み重ねて収納され、外箱の開口部と対応する部分に開口部を設けた複数個の内箱とからなり、最下段の内箱は、外箱の蓋体に形成した上下の折り曲げ片に最下段の内箱に臨む背面片の前端を背面側に折り曲げて挟み込むように形成し、この内箱の内において、最下段の内箱を除く全ての内箱の開口部へ臨む背面片の前端を背面側に折曲して背面に隣接する内箱の前面片を挟み込むようにして各係止片を形成し、この係止片で挟み込まれる前記内箱の頂端縁と係止片の内頂縁間に収納状態で幅間隔を設け、最下段の内箱を引き出すことにより、これの前記開口部前面片の頂端縁がその上段の前記内箱係止片の内頂縁に当接し、この上段の内箱を前記幅間隔だけ牽引して引き出し、この引き出しによりさらに次の段の内箱を所定幅間隔だけ引き出すことにより順次複数個の内箱を外箱の開口部に階段状に引き出せることを特徴とするケース。
【考案の詳細な説明】
【技術分野】
【０００１】
本考案は、各種カード（キャッシュカード、プリペイドカード）や、ＣＤ（コンパクトディスク）、ＦＤ（フロッピー（登録商標）ディスク）の如き偏平状の被収納物を区画して収納し、開蓋してワンタッチの操作で取り出すのに簡便なケースに関するものである。
【背景技術】
【０００２】
従来技術としては、外箱内に複数個の内箱を摺動自在に収納し、該内箱相互の開口部分をその相互に接触する部分において一方が他方に対して所定の範囲で摺動可能に連結し、内箱の一つを引き出し摺動させたさい、他の内箱もこれに関連して牽引されて階段状に引き出され、内箱内にシートやディスク状の如き被収納物を区画して収納することができるとともに、引き出し時内箱相互が開口部を先にして摺動方向に離間して引き出されることにより内部の被収納部の取り出しに便ならしめた一面に開口部を設けた外箱と、この外箱の内部に引き出し可能に積み重ねて収納され、外箱の開口部と対応する部分に開口部を設けた複数個の内箱とからなり、この内箱の内の最下段の内箱を除くすべての内箱の開口部へ臨む背面片の前端を背面側に折曲して背面に隣接する内箱の前面片を挟み込むようにして各係止片を形成し、この係止片で挟み込まれる前記内箱の頂端縁と係止片の内頂縁間に収納状態で間隔を設け、最下段の内箱を引き出すことによりこれの前記開口部前面片の頂端縁がその上段の前記内箱係止片の内頂縁に当接し、この上段の内箱を前記間隔だけ牽引して引き出し、この引き出しによりさらに次の段の内箱を所定間隔だけ引き出すことにより順次複数個の内箱を外箱の開口部に階段状に引き出すように構成したケース（例えば、特許文献１参照）が存在している。
【先行技術文献】
【特許文献】
【０００３】
【特許文献１】実公昭５７−１５８２９号公報（実用新案登録請求の範囲の欄、考案の詳細な説明の欄、及び図１〜図６を参照）
【考案の概要】
【考案が解決しようとする課題】
【０００４】
前記従来技術は、一面に開口部を設けた外箱と、この外箱の内部に引き出し可能に積み重ねて収納され、外箱の開口部と対応する部分に開口部を設けた複数個の内箱とからなり、この内箱の内の最下段の内箱を除くすべての内箱の開口部へ臨む背面片の前端を背面側に折曲して背面に隣接する内箱の前面片を挟み込むようにして各係止片を形成し、この係止片で挟み込まれる前記内箱の頂端縁と係止片の内頂縁間に収納状態で間隔を設け、最下段の内箱を引き出すことによりこれの前記開口部前面片の頂端縁がその上段の前記内箱係止片の内頂縁に当接し、この上段の内箱を前記間隔だけ牽引して引き出し、この引き出しによりさらに次の段の内箱を所定間隔だけ引き出すことにより順次複数個の内箱を外箱の開口部に階段状に引き出す構成である。
しかしながら、前記従来技術は出願頭初、ＣＤ（コンパクトディスク）を被収納物とする場合、内箱内に収納して、各内箱を摺動して階段状にする際、被収納物が内箱内ですれることが問題になるので、各内箱を内箱の開口部へ臨む背面片の前端を背面側に折曲して背面に隣接する内箱の前面片を挟み込み固定して被収納物が内箱内で各内箱を外箱から引き出す際、摺動してキズを付けることのないようにしなければならず、構造が煩雑になるという問題点があった。
本考案は、これらの欠点を解決したケースを提供することを目的としている。
【課題を解決するための手段】
【０００５】
上記課題を解決するための本考案の第１考案は、請求項１に記載された通りのケースであり、次のようなものである。
１個の開口部を設けた外箱と、この外箱の内部に引き出し可能に積み重ねて収納され、外箱の開口部と対応する部分に開口部を設けた複数個の内箱とからなり、最下段の内箱は、外箱の蓋体に形成した上下の折り曲げ片に最下段の内箱に臨む背面片の前端を背面側に折り曲げて挟み込むように形成し、この内箱の内において、最下段の内箱を除く全ての内箱の開口部へ臨む背面片の前端を背面側に折曲して背面に隣接する内箱の前面片を挟み込むようにして各係止片を形成し、この係止片で挟み込まれる前記内箱の頂端縁と係止片の内頂縁間に収納状態で幅間隔を設け、最下段の内箱を引き出すことにより、これの前記開口部前面片の頂端縁がその上段の前記内箱係止片の内頂縁に当接し、この上段の内箱を前記幅間隔だけ牽引して引き出し、この引き出しによりさらに次の段の内箱を所定幅間隔だけ引き出すことにより順次複数個の内箱を外箱の開口部に階段状に引き出す構成である。
【考案の効果】
【０００６】
本考案に係るケースは、上記説明のような構成であるので、以下に記載する効果を奏する。
（１）外箱内に内装した複数の内箱内に各種カード等を区画して種別毎に収納することができ、特に内箱の一つを引き出すことにより他の内箱がこれに牽引されて引き出され、且つこれの引き出し状態が開口部を順次下から上へ、あるいは後ろから前へ所定の長さずれて階段状に引き出されるため、各内箱からのシート等の取り出し、あるいは収納に便利である。特に内箱毎に開口部が階段状にずれているため、種別毎のシートの取り出しに間違いがなく、また収納も区画に間違いなく行うことができ、複数種の各種カードの取り出し、収納を正確に簡単に行うことができ、科目毎に区別して収納する収納ケースとしても便利である。
（２）外箱内に複数の内箱を収納し、内箱相互を所定の範囲で摺動自在に連結し、内箱の一つを外箱に連結するだけのため、構造も簡単で安価に収納ケースを得ることができるとともに、ケースを紙等で形成した場合には、一部を延長して折り曲げて引っ掛ける等するのみで足り、製造上においても従来の内部区画を有するケースと大差なく製造することができ、各種カード等の被収納物の収納ケースとして実用性に富む。
（３）被収納物等を完全に区画して収納することができることは勿論、蓋も内箱の一部を利用することにより一層構造は簡単化し、ケースを安価に提供することができる。
【図面の簡単な説明】
【０００７】
【図１】本考案の第１実施例を示す内箱を引き出した状態の斜視図である。
【図２】本考案の第１実施例を示す内箱を１ヶ取り出した状態の展開平面図である。
【図３】本考案の第１実施例を示す１ヶの内箱を折り曲げ形成した状態の斜視図である。
【図４】本考案の第１実施例を示す内箱を組み付けスライドさせ、階段状にした状態の正面図である。
【図５】本考案の第２実施例を示す内箱を引き出した状態の斜視図である。
【図６】本考案の第２実施例を示す内箱を１ヶ取り出した状態の斜視図である。
【図７】本考案の第２実施例を示すもので、（Ａ）は内箱を組み付けた状態の正面図、（Ｂ）は同じくスライドさせて内箱を階段状にした状態の正面図である。
【考案を実施するための形態】
【０００８】
１個の開口部を設けた外箱と、この外箱の内部に引き出し可能に積み重ねて収納され、外箱の開口部と対応する部分に開口部を設けた複数個の内箱とからなり、最下段の内箱は、外箱の蓋体に形成した上下の折り曲げ片に最下段の内箱に臨む背面片の前端を背面側に折り曲げて挟み込むように形成し、この内箱の内において、最下段の内箱を除く全ての内箱の開口部へ臨む背面片の前端を背面側に折曲して背面に隣接する内箱の前面片を挟み込むようにして各係止片を形成し、この係止片で挟み込まれる前記内箱の頂端縁と係止片の内頂縁間に収納状態で幅間隔を設け、最下段の内箱を引き出すことにより、これの前記開口部前面片の頂端縁がその上段の前記内箱係止片の内頂縁に当接し、この上段の内箱を前記幅間隔だけ牽引して引き出し、この引き出しによりさらに次の段の内箱を所定幅間隔だけ引き出すことにより順次複数個の内箱を外箱の開口部に階段状に引き出すケースである。
【実施例】
【０００９】
以下、本考案のケースの実施例を図面に基づいて詳細に説明する。
本考案は各種カード（キャッシュカード、プリペイドカード）やＣＤ（コンパクトディスク）やＦＤ（フロッピー（登録商標）ディスク）の如き偏平状の被収納物を区画して収納するケース、主に紙製のケースである。
本考案の目的とするところは、外箱内に複数個の内箱を摺動自在に収納し、該内箱相互を開口部において連結し、この連結を内箱の一方が他方に対して所定の範囲でのみ摺動自在となる如くし、内箱の一つを引き出して摺動させた際、他の内箱も牽引されて階段状に引き出され、各内箱の開口部が引き出し方向に前後に離間する如く構成したケースを提供することである。
従って、内箱が引き出し状態で階段状となることにより、該各内箱の開口部が階段状にずれ、各種カード等の種別毎の内箱への収納に際し、間違いなく当該区画にこれを正確に被収納物を収納することができるとともに、取り出し時においても各種カード等を間違えることなく取り出すことができ、各種カード等の被収納物の区画された収納・取り出しに便利であるケースを提供する。
【００１０】
次に、本考案の第１実施例を添付図面に基づいて詳細に説明する。
図１は、外箱を開き、且つ内箱を引き出した状態の斜視図、図２は内箱１ヶを取り出して示す展開平面図、図３は同じく内箱１ヶを取り出して折り曲げて組み立てた状態を示す斜視図、図４は内箱を複数個（図示のものは５ヶ組み付けたものを示す）組み付けて引き出して摺動させ、階段状になった状態を示す正面図である。
１は外箱で、該外箱１は例えば腰のある少し厚手の紙等で成形され、六面のうち五面を閉じ、一面、図示では左側面を開口２して形成されている。そして開口２の上面片５の前端中央部は外箱１の後方向へ半円形状に切り欠きして凹部６を形成する。
以上、外箱１は適宜の厚さを有するように形成され、この外箱１内の空間内に複数、例えば４個の内箱１０、２０、３０、４０を上下に積み重ねて摺動自在に収納する。内箱１０、２０、３０、４０は外箱１と同素材で形成され、それぞれ六面のうち五面を閉じ、前面を開口し、内箱の厚さは外箱１内へ収納する数、外箱１の厚さ方向の内寸法で決定され、それぞれの厚さは必ずしも同一である必要は無く、一つが厚く、他は薄くても良く、また内箱は図示では４個としたが、数は種々選択できるものではある。
なお、内箱１０、２０、３０、４０は、図３に示すように、強度的にゆるされる範囲で表面部を切り欠いて切り欠き部１５を形成して、少しでも軽量化を図ることもできる。
最下段の第１の内箱１０の開口部１１の下面片１２の前端は延長して蓋を兼ねる引き出し片１３を形成し、開口部１１の上面片１４前端と両側の一部を切除し、各種カード等の出し入れを考慮して凹部６を形成する。この上に中間の第２の内箱２０を載せて収納し、該内箱２０の下面片２２と前記内箱１０の上面片１４が接触し、内箱２０の開口部２１に臨む下面片２２を延長し、これを下面側に折曲して下面に隣接する内箱１０の上面片１４中央部を挟み込むようにして係止片２６を形成する。この係止片２６で挟み込まれる上面片１４の中央部は凹部６によりこの部分の前端縁と係止片２６の折曲部間には収納状態で間隔が設けられることとなる。
【００１１】
以上の第２の内箱２０の上に第３の内箱３０を載せて収納し、この内箱３０は前記内箱２０と同様の構造をしており、開口部３１及び凹部６を備え、開口部３１の下面片を延長して下面側へ折曲して第２の内箱２０の上面片の中央部、すなわち凹部６を挟み込む係止片２６とし、この凹部６の前端縁と係止片２６の折曲部間には前記と同様の間隔が設けられる。
【００１２】
第３の内箱３０の上には第４の内箱４０を載せて収納し、該内箱４０の下面片の開口部４１の端部を延長して下面側に折曲して係止片を形成し、これで第３の内箱３０の上面片の凹部６の部分を挟み込み、前記と同様に凹部６の前端縁と係止片の折曲部間に間隔を設ける。そして内箱４０の上面片の開口部４１に設けた凹部６は外箱１の凹部６端縁を延長し、下面側へ折曲した係止片に挟み込み、この係止片と挟み込まれた内箱４０の凹部６との間には間隙を設けないものである。
なお、前記内箱１０、２０、３０、４０には、各種カード類が区画されて収納されるものである。
【００１３】
図４は内箱を引き出した状態を示している。蓋片を開いて開口２し、この開口２には内箱１０、２０、３０、４０の開口部１１、２１、３１、４１が臨んでいる。最下段の第１の内箱１０の引き出し片１３を摘持し、この内箱１０を開口部２外へ引き出す。第１の内箱１０の引き出しでこれの開口部１１の前面片１４の前端縁が第２の内箱２０の係止片２６の折曲部に当接し、第２の内箱２０を牽引して引き出し、この第２の内箱２０で同様に第３の内箱３０は牽引されて引き出される。第４の内箱４０は前記の如く外箱１の係止片に上面片の凹部６が規制されて引き出されず、固定側であるこれの係止片と上面片の凹部６が接して引き出しが規制され、また第２の内箱２０は係止片と凹部６の前端縁との接触、さらに第１の内箱１０は係止片と凹部６の折曲部との接触で夫々規制され、各内箱１０、２０、３０、４０は隣接する内箱と間隔だけ開口部１１、２１、３１、４１を順次ずらして外箱１の開口２から階段状に引き出される（図１、図３参照）。
【００１４】
なお、内箱１０、２０、３０、４０の開口部１１、２１、３１、４１は凹部６を形成しているため、収納された被収納物の表面は階段状に露出しているため、収納・取り出し作業がし易いものである。
また本考案のケースは、以上に限らず、諸種の被収納物の収納ケースとして用いることができ、さらに実施例では第４の内箱４０を固定としたが、この内箱４０を他の内箱と同様に所定範囲で引き出し得るように構成しても良い。
また、ケースの側片に把手等を設けることにより携行することができるようにすることも考えられる。
【００１５】
次に、図５〜図７に基づいて、本考案の第２実施例を説明する。
図５は外箱を開き、且つ内箱を引き出した状態の斜視図、図６は内箱１ヶを取り出して示す斜視図、図７（Ａ）は、内箱を組み付けた状態を示す正面図、図７（ｂ）は内箱を組み付け、外箱から引き出すことによって階段状になった状態を示す正面図である。
前記第１実施例で説明した図１〜図４の内、内箱の形状が、左右側部片がない点及び内箱の数を６ヶにした点を除くとその他は同一なので、説明は省略する。
【００１６】
このように、内箱の左右側部片を除くことにより、加工・製作が極めて簡単にでき、コスト減につなげることができる。
また内箱の係合関係は、左右の片が係止片の両側部で挟み込まれ係止片の中央部は外箱、あるいは内箱と接着され、摺動面が内箱の内部に露出しないようにし、フィルム等を収納した場合、表面を傷めないように配置されている。
なお、実施例では、蓋片を内箱と一体としたが、別体に形成し、内箱に接着等して一体化してもよいことはいうまでもない。
【産業上の利用可能性】
【００１７】
板状のもの、例えばレコード盤、小冊子等、大きさを変えることで種々のものに利用することができる。
【符号の説明】
【００１８】
１・・・・外箱
２・・・・開口
５・・・・上面片
６・・・・凹部
１０・・・・内箱
１１・・・・開口部
１２・・・・下面片
１３・・・・引き出し片
１４・・・・前面片
１５・・・・切り欠き部
２０・・・・内箱
２１・・・・開口部
２２・・・・下面片
２５・・・・凹欠部
２６・・・・係止片
３０・・・・内箱
３１・・・・開口部
４０・・・・内箱
４１・・・・開口部
【図１】
0003156138.tif 000003
【図２】
0003156138.tif 000004
【図３】
0003156138.tif 000005
【図４】
0003156138.tif 000006
【図５】
0003156138.tif 000007
【図６】
0003156138.tif 000008
【図７】
0003156138.tif 000009